(57)【特許請求の範囲】
【請求項１】
側面にダクトと接続される吸込口と吐出口とを設けた枠体の内部にファンモ−タ−ユニットを着脱自在に設け、このファンモ−タ−ユニットは、モ−タ−に固着されたファンと、このファンの外周を囲み送風風路を形成する風洞部とからなり、前記風洞部は軸方向に対し直角に二分割されて吸込側風洞部と吐出側風洞部とに接離自在に形成され、前記吐出側風洞部のオリフィス端部と吸込側風洞部の吐出側端面とが密着し、前記吐出側風洞部にはモ−タ−取付脚を設けるとともに、前記オリフィス端部側の面に凹部を形成し、この凹部にモ−タ−駆動用コンデンサや結線部の電装部品を収納した換気送風装置。
【請求項２】
吸込側風洞部の下面または吐出側端面に凹部を形成し、この凹部に結線部を設けた請求項１記載の換気送風装置。
【請求項３】
凹部に他の機器と連動運転可能となる接続部を設けた請求項２記載の換気送風装置。
【請求項４】
ファンのひねりを逆にしたり、あるいはモ−タ−を逆回転させることで、吐出側風洞部を吸込側にし、吸込側風洞部を吐出側にして通風方向が逆方向になるよう構成した請求項１、２または３記載の換気送風装置。
【請求項５】
吸込側風洞部を発泡スチロ−ルで形成した請求項１、２、３または４記載の換気送風装置。
【発明の詳細な説明】
【０００１】
【発明の属する技術分野】
本発明は、側面の開口にダクトを接続して換気、送風を行なう換気送風装置に関する。
【０００２】
【従来の技術】
従来、この種の換気送風装置としては、例えば、実公平５−２８４１０号公報に開示されるようなものがあった。以下、その構成について図９を参照しながら説明する。
【０００３】
図に示すように、換気ダクト１０１に接続するためのフランジ状の接続口１０２を吸込側と吐出側の両端に有する円筒状のファンケ−ス１０３に、両端の開口した円筒状の風洞１０４と、この風洞１０４内に組み込まれた駆動用モ−タ−１０５と、これによって回転するプロペラファン１０６とからなるファン本体を内設している。ファンケ−ス１０３には外周部分に開閉部分１０７が設けられ、開閉部分１０７を開閉することによってファン本体をファンケ−ス１０３から着脱することが可能となり、また、ファンケ−ス１０３の外周の一部には着脱可能の蓋１０８を有する配線ボックス１０９が設けられ、この配線ボックス１０９内には駆動用コンデンサ１１０を取り付け、駆動用モ−タ−１０５のモ−タ−リ−ド１１１と駆動用コンデンサ１１０と配線コ−ド１１２とを接続した構成であった。
【０００４】
【発明が解決しようとする課題】
このような従来の換気送風装置においては、ファンケ−ス１０３の外周の一部に着脱可能の蓋１０８を有する配線ボックス１０９を設けており、この内部に、駆動用コンデンサ１１０を取り付け、駆動用モ−タ−１０５のモ−タ−リ−ド１１１と駆動用コンデンサ１１０と配線コ−ド１１２とを接続する構成であるので、駆動用コンデンサ１１０や結線部によって風洞の送風風路が狭められることがなく、駆動用コンデンサ１１０や結線部の防湿処理が不要という効果はあるが、配線ボックス１０９の大きさ分突出し、装置が大きくなり、最近の天井裏高さの低い住宅や天井内の装置を設置する空間が梁、補強部材等により小さい施工現場では、装置の設置が困難であるという課題があった。
【０００５】
本発明は上記課題を解決するためのもので、駆動用コンデンサや結線部によって送風風路が狭められることがなく、駆動用コンデンサや結線部の防湿処理が不要である換気送風装置を提供することを目的とする。
【０００６】
【課題を解決するための手段】
本発明の換気送風装置においては、側面にダクトと接続される吸込口と吐出口とを設けた枠体の内部にファンモ−タ−ユニットを着脱自在に設け、このファンモ−タ−ユニットは、モ−タ−に固着されたファンと、このファンの外周を囲む風洞部とからなり、前記風洞部は軸方向に対し直角に二分割されて吸込側風洞部と吐出側風洞部とに接離自在に形成され、前記吐出側風洞部にはモ−タ−取付脚を設けるとともに、吸込側風洞部との分割面には凹部を形成し、この凹部にモ−タ−駆動用コンデンサや結線部の電装部品を収納したものである。
【０００７】
この本発明によれば、駆動用コンデンサや結線部によって送風風路が狭められることがなく、駆動用コンデンサや結線部の防湿処理が不要であるとともに、配線ボックスの設置スペ−スを別個に設けないため、突出部がなく、装置を小型化した換気送風装置を提供することができる。
【０００８】
【発明の実施の形態】
本発明の請求項１に記載の発明は、側面にダクトと接続される吸込口と吐出口とを設けた枠体にファンモ−タ−ユニットを着脱自在に設け、このファンモ−タ−ユニットは、モ−タ−に固着されたファンと、このファンの外周を囲み送風風路を形成する風洞部とからなり、前記風洞部は軸方向に対し直角に二分割されて吸込側風洞部と吐出側風洞部とに接離自在に形成され、前記吐出側風洞部のオリフィス端部と吸込側風洞部の吐出側端面とが密着し、前記吐出側風洞部にはモ−タ−取付脚を設けるとともに、前記オリフィス端部側の面に凹部を形成し、この凹部にモ−タ−駆動用コンデンサや結線部の電装部品を収納する換気送風装置であり、送風風路を形成する吸込側風洞部と吐出側風洞部との分割面となる吐出側風洞部のオリフィス端部側の面に形成される凹部に、駆動用コンデンサや結線部の電装部品を収納するので、駆動用コンデンサや結線部によって送風風路が狭められることがなく、駆動用コンデンサや結線部の防湿処理が不要であるとともに、配線ボックスの設置スペ−スを別個に設けないため、突出部がなく、装置を小型化することができるという作用を有する。
【０００９】
以下、本発明の実施の形態について図１〜図８を参照しながら説明する。
【００１０】
（実施の形態１）
図１〜図３に示すように、アダプタ−１８を介してダクト１と接続される吸込口２と吐出口３を両側面に有し、下面に着脱自在の蓋４を設けた枠体５の内部にファンモ−タ−ユニット６を枠体５の下面より着脱自在となるように設け、このファンモ−タ−ユニット６は、モ−タ−７に固着されたファン８と、このファン８の外周を囲み、送風風路を形成する風洞部９とからなり、風洞部９は軸方向に対し直角に吸込側風洞部１０と吐出側風洞部１１に二分割されるが、吐出側風洞部１１のオリフィス端部１９と吸込側風洞部１０の吐出側端面２０とを密着させ、送風が風洞の外に漏れることがないようにして接離自在に構成されている。また、吸込側風洞部１０の外周面と送風風路の間には空間部２１を形成している。そして、吐出側風洞部１１にはモ−タ−取付脚１２を設け、モ−タ−７を固着するとともに、吐出側風洞部１１の吸込側の端面には、モ−タ−の駆動用コンデンサ１３や結線部１４等を含む電装部品を収納する凹部１５を形成している。また、結線部１４から延びる配線コ−ド１６は、蓋４に設けたコ−ド穴１７から装置の外に出されることになり、電源供給される。
【００１１】
上記構成において、換気送風装置を天井内に取り付けるときには、枠体５の両側面に設けた吸込口２と吐出口３をアダプタ−１８を介して天井内に配設したダクト１に接続して配管工事を行なう。このとき、吐出側風洞部１１の凹部１５に駆動用コンデンサ１３や結線部１４等の電装部品を収納しているので、送風風路を狭めず、送風の抵抗とならないとともに、配線ボックスを別個に設けない構成であるため、突出部がなく、装置を小型化でき、狭い天井空間での設置が可能となる。また、凹部１５内には、空気層ができ、送風風路から風が漏れないようにしているため、空気断熱効果がある。また、吸込側風洞部１０には、送風風路全周にわたって空間部２１を形成しているため、これにより空気断熱される。そして、枠体５の下面の開口に、下方よりファンモ−タ−ユニット６を挿入し、枠体５の内部に納め、さらに、吐出側風洞部１１の凹部１５から延びる配線コ−ド１６をコ−ド穴１７に通した状態の蓋４を、下方より枠体５にねじ等により閉塞させて取り付けを行なう。このとき、ファンモ−タ−ユニット６は、枠体５の弾性のため、その内壁によって挟みつけられるように保持され、容易に落下するものではなく、さらに蓋４によって下方からも押さえられることになり、ファン８運転時にファンモ−タ−ユニット６が振動することはなく、確実に固定される。
【００１２】
次に、モ−タ−７の故障等のため、メンテナンスするときには、点検口（図示せず）より手を入れて蓋４を枠体５から取り外し、さらに、ファンモ−タ−ユニット６を枠体５から抜き取り、ファンモ−タ−ユニット６を吸込側風洞部１０と吐出側風洞部１１とに分割することができるので、吐出側風洞部１１の凹部１５に収納している駆動用コンデンサ１３や結線部１４等の電装部品や、モ−タ−取付脚１２に固着されているモ−タ−７の交換が狭い作業空間で容易に行なえることになる。
【００１３】
このように本発明の実施の形態１の換気送風装置によれば、吐出側風洞部１１の吸込側風洞部１０側の端面には、モ−タ−の駆動用コンデンサ１３や結線部１４等を含む電装部品を収納する凹部１５を形成したので、駆動用コンデンサ１３や結線部１４によって送風風路が狭められることがない。さらに、凹部１５内には空気断熱効果があり、駆動用コンデンサや結線部の防湿処理が不要であるとともに、配線ボックスの設置スペ−スを別個に設けないため、突出部がなく、装置を小型化した換気送風装置を提供することができる。
【００１４】
（実施の形態２）
図４に示すように、吐出側風洞部１１の吐出側内周部に整流板２２を設ける。その他の構成要素は実施の形態１と同様であり、その説明は省略する。
【００１５】
この実施の形態２は、実施の形態１と同様の作用、効果に加えて、吐出側の流れを整流するという効果がある。
【００１６】
（実施の形態３）
図５に示すように、吸込側風洞部１０の下面に凹部２３を形成し、この凹部２３に結線部１４ａを設ける。
【００１７】
上記構成において、枠体５の下面に取り付いている蓋４を取り外すと結線部１４ａが吸込側風洞部１０の下面に形成された凹部２３に納められているのが見える。そして、メンテナンスを行なうときは、結線部１４ａから配線コ−ド１６を外すと、配線コ−ド１６に接続されているため取り出して動かすことが難しいファンモ−タ−ユニット６が分離され、モ−タ−７やコンデンサ１３等の交換が容易に行えるようになる。
【００１８】
このように本発明の実施の形態３の換気送風装置によれば、吸込側風洞部１０の下面に凹部２３を形成し、この凹部２３に結線部１４ａを設けているので、点検口より手を入れて蓋４を取り外し、結線部１４ａから配線コ−ド１６を外すと配線コ−ド１６とファンモ−タ−ユニット６が分離され、容易に部品交換ができる。また、配線ボックスを別個に設けることなく、枠体５内に結線部１４ａが納められることにより、突出部がなく、装置を小型化することができる。
【００１９】
（実施の形態４）
図６に示すように、吸込側風洞部１０の下面に凹部２３を形成し、この凹部２３に、結線部１４ａと別個に他の機器と連動運転可能となる接続部２４を設ける。
【００２０】
上記構成において、枠体（図示せず）の下面に取り付いている蓋（図示せず）を取り外すと結線部１４ａと接続部２４が吸込側風洞部１０の下面に形成された凹部２３に納められているのが見える。そして、この換気送風装置と連動させてダンパ−装置や換気扇を運転したり、空調システムを拡張するときには、接続部２４に他の機器の配線を差し込めばよい。
【００２１】
このように本発明の実施の形態４の換気送風装置によれば、凹部２３に接続部２４を設けているので、点検口より手を入れて蓋（図示せず）を取り外し、接続部２４に他の機器の配線を接続すれば、連動運転が可能となり、容易に空調システム拡張の配線工事を行なうことができる。また、他の機器との接続部を絶縁された枠体内に設けられるので、配線ボックスを別個に設けることなく部品点数が減少し、配線工事を簡易化できる。
【００２２】
なお、接続部２４は、結線部１４ａと別個の接続部を設けて形成しているが、例えば、ピン数を増やしたコネクタ−を用いて１個のコネクタ−内に結線部１４ａと接続部２４を形成して１個の接続部として形成しても、配線工事における作用、効果に差異はない。
【００２３】
（実施の形態５）
図７に示すように、ファン８ａのひねりを逆にしたり、あるいはモ−タ−７ａを逆回転させることで、また、ファン８ａを逆向きに取り付け、モ−タ−７ａを逆回転させることで、吐出側風洞部１１を吸込側にし、吸込側風洞部１０を吐出側にして通風方向が逆方向になるように構成する。
【００２４】
上記構成において、吐出側風洞部１１の凹部１５が送風風路の全周に形成され、この部分に空気層ができることにより空気断熱効果をもたらすので、冬場の外気などを吸気しても、枠体５表面に発生する結露を防止できる。
【００２５】
このように本発明の実施の形態５の換気送風装置によれば、ファン８ａのひねりを逆に形成したり、あるいはモ−タ−７ａを逆回転させることなどにより、吐出側風洞部１１を吸込側にし、吸込側風洞部１０を吐出側にして通風方向が逆方向となるように構成したので、冬場の外気などの冷気を吸気しても枠体５表面に発生する結露を防止できる。
【００２６】
（実施の形態６）
図８に示すように、吸込側風洞部１０ａを発泡スチロ−ルで形成する。
【００２７】
上記構成において、発泡スチロ−ルは断熱性が高いので、冬場の外気などを吸気する場合、枠体５表面に発生する結露を防止できる。また、吸込側風洞部１０ａ内を流れる風の温度と、吸込側風洞部１０ａの周囲の雰囲気の温度との差が大きくても、枠体５内に発生する結露を防止できる。また、合成樹脂で形成するよりも、金型費を低減でき、表面が汚れにくい。
【００２８】
このように本発明の実施の形態６の換気送風装置によれば、吸込側風洞部１０ａを発泡スチロ−ルで形成したので、冬場の外気などを吸気しても、枠体５表面に発生する結露を防止できる。また、合成樹脂で形成するよりも、金型費を低減でき、表面が汚れにくい。
【００２９】
【発明の効果】
以上の実施の形態から明らかなように、側面にダクトと接続される吸込口と吐出口とを設けた枠体の内部にファンモ−タ−ユニットを着脱自在に設け、このファンモ−タ−ユニットは、モ−タ−に固着されたファンと、このファンの外周を囲み送風風路を形成する風洞部とからなり、前記風洞部は軸方向に対し直角に二分割されて吸込側風洞部と吐出側風洞部とに接離自在に形成され、前記吐出側風洞部のオリフィス端部と吸込側風洞部の吐出側端面とが密着し、前記吐出側風洞部にはモ−タ−取付脚を設けるとともに、前記オリフィス端部側の面に凹部を形成し、この凹部にモ−タ−駆動用コンデンサや結線部等の電装部品を収納した換気送風装置の構成としたので、駆動用コンデンサや結線部によって送風風路が狭められることがなく、駆動用コンデンサや結線部の防湿処理が不要であるとともに、配線ボックスの設置スペ−スを別個に設けないため、突出部がなく、装置を小型化した換気送風装置を提供することができる。
【００３０】
また、吸込側風洞部の下面に凹部を形成し、この凹部に結線部を設けたので、メンテナンス時に、点検口より手を入れて蓋を取り外し、結線部から配線コ−ドを外すと、配線コ−ドとファンモ−タ−ユニットが分離され、容易に部品交換ができる。
【００３１】
また、凹部に他の機器と連動運転可能となる接続部を設けたので、点検口より手を入れて蓋を取り外し、接続部に他の機器の配線を接続すれば、連動運転が可能となり、容易に空調システム拡張の配線工事を行なうことができる。また、他の機器との接続部を絶縁された枠体内に設けられるので、配線ボックスを別個に設けることなく部品点数が減少し、配線工事を簡易化できる。
【００３２】
また、ファンのひねりを逆に形成したり、あるいはモ−タ−を逆回転させることで吐出側風洞部を吸込側にし、吸込側風洞部を吐出側にして通風方向が逆方向となるように構成したので、吐出側風洞部の凹部が空気断熱効果をもたらし、冬場の外気などの冷気を吸気しても枠体表面に発生する結露を防止できる。
【００３３】
また、吸込側風洞部を発泡スチロ−ルで形成したので、冬場の外気などを吸気しても、枠体表面に発生する結露を防止できる。また、合成樹脂で形成するよりも、金型費を低減でき、表面が汚れにくい。
【図面の簡単な説明】
【図１】本発明の実施の形態１の換気送風装置を示す斜視図
【図２】同換気送風装置を示す分解斜視図
【図３】同換気送風装置の吸込側風洞部を示す断面図
【図４】本発明の実施の形態２の換気送風装置を示す分解斜視図
【図５】本発明の実施の形態３の換気送風装置を示す部分断面斜視図
【図６】本発明の実施の形態４の換気送風装置の接続部を示す斜視図
【図７】本発明の実施の形態５の換気送風装置を示す部分断面斜視図
【図８】本発明の実施の形態６の換気送風装置を示す斜視図
【図９】従来の換気送風装置を示す断面図
【符号の説明】
１        ダクト
２        吸込口
３        吐出口
５        枠体
６        ファンモ−タ−ユニット
７        モ−タ−
７ａ      モ−タ−
８        ファン
８ａ      ファン
９        風洞部
１０        吸込側風洞部
１０ａ      吸込側風洞部
１１        吐出側風洞部
１２        モ−タ−取付脚
１３        駆動用コンデンサ
１４        結線部
１４ａ      結線部
１５        凹部
２３        凹部
２４        接続部
【図１】
0003655999.tif 000002
【図２】
0003655999.tif 000003
【図３】
0003655999.tif 000004
【図４】
0003655999.tif 000005
【図５】
0003655999.tif 000006
【図６】
0003655999.tif 000007
【図７】
0003655999.tif 000008
【図８】
0003655999.tif 000009
【図９】
0003655999.tif 000010